(57)【要約】【課題】保持器強度を維持しながら、ころのスキューにより発生するアキシャル荷重を保持器内で相殺可能なラジアルころ軸受用保持器を提供する。【解決手段】複数のポケット部２６が、その中心軸線Ｘが保持器２０Ｂの中心軸線Ｐに対して周方向一方側に傾斜する複数の第１ポケット部２７と、その中心軸線Ｙが保持器２０Ｂの中心軸線Ｐに対して周方向他方側に傾斜する複数の第２ポケット部２８と、その中心軸線Ｚが保持器２０Ｂの中心軸線Ｐと平行である複数の第３ポケット部２９と、を有する。第１ポケット部２７の中心軸線Ｘの周方向一方側への傾斜角度αと、第２ポケット部２８の中心軸線Ｙの周方向他方側への傾斜角度βと、は略等しく設定される（α＝β）。複数の第１〜第３ポケット部２７、２８、２９は、第１ポケット部２７、第３ポケット部２９、第２ポケット部２８、第３ポケット部２９の順に繰り返して配置される。【選択図】図１
2014219090.tif 000002
【特許請求の範囲】
【請求項１】
一対の円環部と、
前記一対の円環部を軸方向に連結し、周方向に所定間隔で配置される複数の柱部と、
周方向に隣接する一対の前記柱部の対向する周方向側面と、前記一対の円環部の対向する軸方向側面と、によって形成され、それぞれ複数のころを保持する複数のポケット部と、
を備えるラジアルころ軸受用保持器であって、
前記複数のポケット部は、その中心軸線が前記ラジアルころ軸受用保持器の中心軸線に対して周方向一方側に傾斜する複数の第１ポケット部と、その中心軸線が前記保持器の中心軸線に対して周方向他方側に傾斜する複数の第２ポケット部と、その中心軸線が前記保持器の中心軸線と平行である複数の第３ポケット部と、を有し、
前記第１ポケット部の中心軸線の周方向一方側への傾斜角度と、前記第２ポケット部の中心軸線の周方向他方側への傾斜角度と、は略等しく設定されており、
前記複数の第１〜第３ポケット部は、前記第１ポケット部、前記第３ポケット部、前記第２ポケット部、前記第３ポケット部の順に繰り返して配置される
ことを特徴とするラジアルころ軸受用保持器。
【発明の詳細な説明】
【技術分野】
【０００１】
本発明は、ラジアルころ軸受用保持器に関する。
【背景技術】
【０００２】
建設機械、産業用ロボット、自動車の減速機等、各種機械装置の回転支持部分には、図２に示すようなラジアル針状ころ軸受１（ケージアンドローラ）が組み込まれている。ラジアル針状ころ軸受１は、直径が比較的小さく、軸方向長さが直径に比べて長い複数のころ１０（ニードル）と、複数のころ１０を転動自在に保持するラジアルころ軸受用保持器２０（以下、単に保持器と呼ぶ。）と、から構成される。
【０００３】
図３も参照し、保持器２０は、一対の円環部２２と、一対の円環部２２を軸方向に連結し、周方向に所定間隔で配置される複数の柱部２４と、を備える。さらに、保持器２０は、周方向に隣接する一対の柱部２４の対向する周方向側面２４ａと、一対の円環部２２の対向する軸方向側面２２ａと、によって形成された複数のポケット部２６を備え、それぞれのポケット部２６によって、ころ１０が転動自在に保持される。
【０００４】
柱部２４は、一対の円環部２２から軸方向内側に延びる一対の第１延出部２５ａと、一対の第１延出部２５ａよりも径方向内側且つ軸方向中間側に配置されて軸方向に延びる第２延出部２５ｂと、これら一対の第１延出部２５ａと第２延出部２５ｂとを接続する一対の接続部２５ｃと、から構成されて全体として略Ｍ字形状に形成される。また、周方向に隣り合う一対の柱部２４の距離は、ころ１０の直径よりも小さくなるように設定されており、ころ１０がポケット部２６にパチン挿入されて保持可能とされている。
【０００５】
ここで、全てのポケット部２６は略同一形状に形成されると共に、全てのポケット部２６の中心軸線Ｑが、保持器２０の中心軸線Ｐと平行となるように設定されている。
【０００６】
このようなラジアル針状ころ軸受１においては、複数のポケット部２６にそれぞれ保持された複数のころ１０がスキューした場合、アキシャル荷重が発生して、軸受の短寿命化が進む虞がある。特に、図４に示すように、ラジアル針状ころ軸受１を軸方向に複数並べて使用した場合、仮に全てのラジアル針状ころ軸受１のころ１０が同じ方向にスキューしたとすると、スキューによるアキシャル荷重は非常に大きな値となる。そして、当該アキシャル荷重は、ラジアル針状ころ軸受１に内嵌されたシャフト３を軸方向（図４中、矢印方向）に変位させようとするため、保持器２０や止め輪５の低寿命化を招く可能性がある。なお、軸方向両側に配置された一対のラジアル針状ころ軸受１は、ハウジング７に内嵌されており、軸方向中間に配置されたラジアル針状ころ軸受１は、ギヤ９に内嵌されている。
【０００７】
一方、特許文献１には、保持器が、円筒ころを保持する略四角形の複数の保持孔を有し、当該複数の保持孔が一個置きに同一方向に傾斜すると共に、隣接する保持孔同士の中心軸線が互いに交差する方向に延びることが記載されている。ここで、特許文献１の保持器の構成を、従来の保持器２０に適用した場合、図５に示すような、保持器２０Ａの構成とされることが考えられる。
【０００８】
すなわち、保持器２０Ａでは、複数のポケット部２６が、その中心軸線Ｘが保持器２０Ａの中心軸線Ｐに対して周方向一方側（図５中、上側）に傾斜する複数の第１ポケット部２７と、その中心軸線Ｙが保持器２０Ａの中心軸線Ｐに対して周方向他方側（図５中、下側）に傾斜する複数の第２ポケット部２８と、を有する。また、第１ポケット部２７の中心軸線Ｘの周方向一方側への傾斜角度αと、第２ポケット部２８の中心軸線Ｙの周方向他方側への傾斜角度βと、は略等しく設定される（α＝β）。そして、第１及び第２ポケット部２７、２８は、周方向に交互に配置される。
【０００９】
このように保持器２０Ａを構成することによって、第１及び第２ポケット部２７、２８に保持されたころ１０を、それぞれ周方向一方側及び他方側へ強制的にスキューさせ、ころ１０のスキューにより発生するアキシャル荷重を保持器２０Ａ内で相殺し、ゼロとすることを図っていた。
【先行技術文献】
【特許文献】
【００１０】
【特許文献１】特開２００４−１７６７４５号公報
【発明の概要】
【発明が解決しようとする課題】
【００１１】
しかしながら、保持器２０Ａにおいては、隣り合う第１及び第２ポケット部２７、２８間の周方向最小幅Ｌが小さくなってしまい、保持器２０Ａの強度が低下してしまう虞があった。
【００１２】
本発明は、前述した課題に鑑みてなされたものであり、保持器強度を維持しながら、ころのスキューにより発生するアキシャル荷重を保持器内で相殺可能なラジアルころ軸受用保持器を提供することにある。
【課題を解決するための手段】
【００１３】
本発明の上記目的は、下記の構成により達成される。
（１）  一対の円環部と、
前記一対の円環部を軸方向に連結し、周方向に所定間隔で配置される複数の柱部と、
周方向に隣接する一対の前記柱部の対向する周方向側面と、前記一対の円環部の対向する軸方向側面と、によって形成され、それぞれ複数のころを保持する複数のポケット部と、
を備えるラジアルころ軸受用保持器であって、
前記複数のポケット部は、その中心軸線が前記ラジアルころ軸受用保持器の中心軸線に対して周方向一方側に傾斜する複数の第１ポケット部と、その中心軸線が前記保持器の中心軸線に対して周方向他方側に傾斜する複数の第２ポケット部と、その中心軸線が前記保持器の中心軸線と平行である複数の第３ポケット部と、を有し、
前記第１ポケット部の中心軸線の周方向一方側への傾斜角度と、前記第２ポケット部の中心軸線の周方向他方側への傾斜角度と、は略等しく設定されており、
前記複数の第１〜第３ポケット部は、前記第１ポケット部、前記第３ポケット部、前記第２ポケット部、前記第３ポケット部の順に繰り返して配置される
ことを特徴とするラジアルころ軸受用保持器。
【発明の効果】
【００１４】
本発明のラジアルころ軸受用保持器によれば、複数の第１〜第３ポケット部は、第１ポケット部、第３ポケット部、第２ポケット部、第３ポケット部の順に繰り返して配置されるので、第１及び第３ポケット部間の周方向最小幅、並びに第２及び第３ポケット部間の周方向最小幅を、図５に示した従来の保持器に比べて大きく設定することができ、保持器強度の低下を抑制することが可能である。
また、第１及び第２ポケット部に保持されたころを、それぞれ周方向一方側及び他方側へ強制的にスキューさせることによって、ころのスキューにより発生するアキシャル荷重を保持器内で相殺し、ゼロとすることが可能である。
【図面の簡単な説明】
【００１５】
【図１】実施形態に係るラジアルころ軸受用保持器の要部展開図である。
【図２】従来のラジアル針状ころ軸受の断面図である。
【図３】従来のラジアルころ軸受用保持器の要部展開図である。
【図４】ラジアル針状ころ軸受を軸方向に複数並べて使用する状態を示す図である。
【図５】他の従来のラジアルころ軸受用保持器の要部展開図である。
【発明を実施するための形態】
【００１６】
以下、本発明の実施形態に係るラジアルころ軸受用保持器について、図面に基づいて詳細に説明する。なお、本実施形態のラジアルころ軸受用保持器は、図２〜５に示した従来のラジアルころ軸受用保持器２０、２０Ａと基本的構成を同一とするものであるから、同一又は相当部分には、同一符号を付すことにより説明を省略又は簡略化する。
【００１７】
図１に示すように、本実施形態に係るラジアルころ軸受用保持器２０Ｂ（以下、単に保持器と呼ぶ。）においては、複数のポケット部２６が、その中心軸線Ｘが保持器２０Ｂの中心軸線Ｐに対して周方向一方側（図１中、上側）に傾斜する複数の第１ポケット部２７と、その中心軸線Ｙが保持器２０Ｂの中心軸線Ｐに対して周方向他方側（図１中、下側）に傾斜する複数の第２ポケット部２８と、その中心軸線Ｚが保持器２０Ｂの中心軸線Ｐと平行である複数の第３ポケット部２９と、を有する。また、第１ポケット部２７の中心軸線Ｘの周方向一方側への傾斜角度αと、第２ポケット部２８の中心軸線Ｙの周方向他方側への傾斜角度βと、は略等しく設定される（α＝β）。そして、複数の第１〜第３ポケット部２７、２８、２９は、第１ポケット部２７、第３ポケット部２９、第２ポケット部２８、第３ポケット部２９の順に繰り返して配置される。
【００１８】
ここで、第１及び第２ポケット部２７、２８の個数は、同数となるように設定されており、第１及び第２ポケット部２７、２８に保持されたころ１０（図２参照）を、それぞれ周方向一方側及び他方側へ強制的にスキューさせることによって、ころ１０のスキューにより発生するアキシャル荷重を保持器２０Ｂ内で相殺し、ゼロとすることが可能である。
【００１９】
なお、本実施形態の保持器２０Ｂが適用されたラジアル針状ころ軸受１を軸方向に複数並べて使用する場合（例えば、図４参照。）には、ころ１０のスキューによって過大なアキシャル荷重が発生することを防止可能であるので、本発明が特に好適である。
【００２０】
また、第１及び第３ポケット部２７、２９間の周方向最小幅Ｍ、並びに第２及び第３ポケット部２８、２９間の周方向最小幅Ｎを、図５に示した従来の保持器２０Ａの第１及び第２ポケット部２７、２８間の周方向最小幅Ｌに比べて大きく設定することができ（Ｌ＜Ｍ＝Ｎ）、保持器強度の低下を抑制することが可能である。
【００２１】
なお、本発明は、前述した各実施形態に限定されるものではなく、適宜、変形、改良、等が可能である。
【００２２】
例えば、本発明の保持器２０Ｂが適用される軸受としては、ラジアルころ軸受であれば、ラジアル針状ころ軸受に限られない。
【符号の説明】
【００２３】
１    ラジアル針状ころ軸受
３    シャフト
５    止め輪
７    ハウジング
９    ギヤ
１０  ころ
２０Ｂ  ラジアルころ軸受用保持器
２２    円環部
２２ａ  軸方向側面
２４    柱部
２４ａ  周方向側面
２５ａ  第１延出部
２５ｂ  第２延出部
２５ｃ  接続部
２６    ポケット部
２７    第１ポケット部
２８    第２ポケット部
２９    第３ポケット部
Ｐ、Ｘ、Ｙ、Ｚ  中心軸線
Ｍ、Ｎ  周方向最小幅
α、β  傾斜角度
【図１】
2014219090.tif 000003
【図２】
2014219090.tif 000004
【図３】
2014219090.tif 000005
【図４】
2014219090.tif 000006
【図５】
2014219090.tif 000007